(57)【特許請求の範囲】
【請求項１】
複数の物品（２）からなる連続バッチ（３）を形成し、且つ２つの前記連続バッチ（３）同士を互いに離隔させる連続バッチ形成離隔方法であって、前記連続バッチ形成離隔方法は、
前記物品（２）を１つずつ、一定の入力速度（ＶＥ）で、供給ベルト（４）に沿って供給ステーション（５）まで移送する入力段階と；
回転式移送手段（８）を使用して所与数の前記物品（２）をグループ化することによって前記連続バッチ（３）を形成し、前記連続バッチ（３）を前記供給ステーション（５）から送出ステーション（７）に移送するバッチ移送段階と；
前記連続バッチ（３）を、前記入力速度（ＶＥ）よりも速い一定の送出速度（ＶＳ）で、前記送出ステーション（７）から送出ベルト（６）に沿って送出する送出段階と
を含み、
前記回転式移送手段（８）は、
制御装置と；
前記制御装置によって制御される電動手段（１２，１３）と；
前記電動手段（１２，１３）によって、互いに独立して回転される第1回転シャフト（９）および第２回転シャフト（１０）と；
前記第１回転シャフト（９）によって回転させられる第１ディスク（１５）と；
前記第２回転シャフト（１０）によって回転させられる第２ディスク（１６）と
を備え、
前記バッチ移送段階は、
前記第１ディスク（１５）の回転速度（ＶＴ）を前記入力速度（ＶＥ）に等しくした状態で、前記第１物品送りシステム（１９ａ）を、前記供給ステーション（５）において前記前記第１物品送りシステム（１９ａ）よりも下流側に位置する物品（２）の上流部位に係合させる係合工程と；
前記送出ステーション（７）での前記第１ディスク（１５）の前記回転速度（ＶＴ）が前記送出速度（ＶＥ）に等しくなるように、前記第１ディスク（１５）を徐々に加速させる加速工程と；
前記送出ステーション（７）において、前記第１送りシステム（１９ａ）を前記連続バッチ（３）から解除させる解除工程と；
前記供給ステーション（５）において、前記第２送りシステム（１９ｂ）を、次の連続バッチ（３）の上流部位に係合させる間隔形成工程であって、前記連続バッチ（３）ごとの物品（２）の数と、複数の前記連続バッチ（３）同士の間の隙間との少なくとも一方を決定すべく、前記第１送りシステム（１９ａ）と前記第２送りシステム（１９ｂ）の間の可変間隔を前記制御装置によって決定することと
を含み、
前記第１回転シャフト（９）と前記第２回転シャフト（１０）は、同一の軸線（Ｒ）周りに回転することを特徴とする、連続バッチ形成離隔方法。
【請求項２】
前記バッチ移送段階は更に、前記解除工程後の前記第１送りシステム（１９ａ）の回転方向を、前記送出ステーション（７）において逆転させる戻り工程を含み、
その結果、前記第１送りシステム（１９ａ）は、前記第２送りシステム（１９ｂ）によって移送される前記連続バッチ（３）の下流部位を保持する、
請求項１記載の連続バッチ形成離隔方法。
【請求項３】
請求項１または２記載の連続バッチ形成離隔方法を実施する連続バッチ形成離隔装置（１）であって、前記連続バッチ形成離隔装置（１）は、複数の物品（２）からなる連続バッチ（３）を形成し、且つ２つの前記連続バッチ（３）同士を互いに離隔させために、
前記物品（２）を１つずつ一定の入力速度（ＶＥ）で供給ステーション（５）に移送する供給ベルト（４）と；
送出ステーション（７）から前記連続バッチ（３）を受取って、前記入力速度（ＶＥ）よりも速い一定の送出速度（ＶＳ）で送出する送出ベルト（６）と；
前記供給ステーション（５）に１つずつ移送された前記物品（２）を、グループ化することで前記連続バッチ（３）にし、且つ前記送出ステーション（７）まで移送する回転式移送手段（８）と
を備え、
前記回転式移送手段（８）は、
制御装置と；
前記制御装置によって制御される電動手段（１２，１３）と；
前記電動手段（１２，１３）によって、互いに独立して回転される第1回転シャフト（９）および第２回転シャフト（１０）と；
前記第１回転シャフト（９）によって回転させられる第１ディスク（１５）と；
前記第２回転シャフト（１０）によって回転させられる第２ディスク（１６）と
を備え、
前記第１ディスク（１５）は、前記供給ステーション（５）において下流側の前記連続バッチ（３）の上流部位に係合し且つ前記送出ステーション（７）において前記連続バッチ（３）から解除するように構成された第１物品送りシステム（１９ａ）を有し、
前記第２ディスク（１６）は、前記供給ステーション（５）において下流側の前記連続バッチ（３）の上流部位に係合し且つ前記送出ステーション（７）において前記連続バッチ（３）から解除するように構成された第２物品送りシステム（１９ｂ）を有し、
前記制御装置は、前記第１ディスク（１５）の回転速度（ＶＴ）を、前記供給ステーション（５）において前記第１送りシステム（１９ａ）が前記連続バッチ（３）に係合するときには前記入力速度（ＶＥ）に等しく設定し、その後徐々に増加させ、前記送出ステーション（７）において前記第１送りシステム（１９ａ）が前記連続バッチ（３）から解除するときには前記送出速度（ＶＳ）に等しく設定し、
前記制御装置は、前記第２ディスク（１６）の回転速度（ＶＴ）も、前記供給ステーション（５）において前記第２送りシステム（１９ｂ）が前記連続バッチ（３）に係合するときには前記入力速度（ＶＥ）に等しく設定し、その後徐々に増加させ、前記送出ステーション（７）において前記第２送りシステム（１９ｂ）が前記連続バッチ（３）から解除するときには前記送出速度（ＶＳ）に等しく設定し、
前記制御装置は、前記連続バッチ（３）ごとの前記物品（２）の数と、２つの前記連続バッチ（３）同士の間の隙間とのうちの少なくとも一方を決定すべく、前記第１送りシステム（１９ａ）と、前記第１送りシステム（１９ａ）の後に続く前記第２送りシステム（１９ｂ）との間の可変間隔を決定するように構成され、
前記第１回転シャフト（９）と前記第２回転シャフト（１０）は、同一の軸線（Ｒ）周りに回転することを特徴とする、連続バッチ形成離隔装置。
【請求項４】
前記第１ディスク（１５）と前記第２ディスク（１６）は、互いに重ね合わされ、
前記第１ディスク（１５）の外周部に、前記第１送りシステム（１９ａ）は形成され、
前記第２ディスク（１６）の外周部に、前記第２送りシステム（１９ｂ）は形成される、
請求項３記載の連続バッチ形成離隔装置。
【請求項５】
前記第１送りシステム（１９ａ）は、前記第１ディスク（１５）から径方向に突き出ている第１歯（１９ａ）であり、
前記第１歯（１９ａ）の上流側部と下流側部は、前記物品（２）に相補的な形態であるように形成され、前記下流側部が前記連続バッチ（３）の上流部位に係合することによって前記連続バッチ（３）を移送し、前記上流側部が前記連続バッチ（３）の下流部位に係合することによって前記連続バッチ（３）を保持し、
前記第１歯（１９ａ）の移動軌跡は、前記供給ステーション（５）において前記連続バッチ（３）に係合する第１角度位置と、前記送出ステーション（７）において前記連続バッチ（３）から解除する第２角度位置とを通る円であり、
前記第２送りシステム（１９ｂ）も、前記第２ディスク（１６）から径方向に突き出ている歯であり、
前記第２歯（１９ｂ）の上流側部と下流側部は、前記物品（２）に相補的な形態であるように形成され、前記下流側部が前記連続バッチ（３）の上流部位に係合することによって前記連続バッチ（３）を移送し、前記上流側部が前記連続バッチ（３）の下流部位に係合することによって前記連続バッチ（３）を保持し、
前記第２歯（１９ｂ）の移動軌跡は、前記供給ステーション（５）において前記連続バッチ（３）に係合する第１角度位置と、前記送出ステーション（７）において前記連続バッチ（３）から解除する第２角度位置とを通る円である、
請求項３または４記載の連続バッチ形成離隔装置。
【請求項６】
前記回転式移送手段（８）は更に、前記供給ベルト（４）から供給されてきた前記物品（２）を整列させ且つ前記物品（２）の速さを調整する整列速度調整手段（２０）を含み、
前記第１送りシステム（１９ａ）または前記第２送りシステム（１９ｂ）が前記物品（２）の上流部位に係合するときに前記物品（２）を所望どおりに位置決めするように、前記整列速度調整手段（２０）は配置される、
請求項３〜５何れか一項記載の連続バッチ形成離隔装置。
【請求項７】
前記整列速度調整手段（２０）は、前記物品（２）への係合と解除のための歯付き構成（２１）を外周部に有する星形ホイール（２０）を有し、
前記歯付き構成（２１）は、前記物品（２）を個々に受取る陥凹部（２２）を複数有し、前記星形ホイール（２０）の接線速度が前記入力速度（ＶＥ）に等しいように、前記星形ホイール（２０）は、前記電動手段（１２，１３）とは異なる電動手段（２１）によって、前記軸線（Ｒ）に平行な軸線（Ｒ’）周りに回動させられる、
請求項６記載の連続バッチ形成離隔装置。
【請求項８】
前記制御装置は、所定の速度プロファイルに従って全ての前記電動手段（１２，１３，
２１）を制御することによって、前記連続バッチ（３）ごとの前記物品（２）の数と、２つの前記連続バッチ（３）同士の間の隙間とのうちの少なくとも一方を決定する、
請求項３〜７何れか一項記載の連続バッチ形成離隔装置。
【請求項９】
前記電動手段（１２，１３）は、回転速度を連続的に調整可能なモータである、
請求項３〜８何れか一項記載の連続バッチ形成離隔装置。
【請求項１０】
前記モータ（１２，１３）は、ブラシレス直流型電気モータである、
請求項９記載の連続バッチ形成離隔装置。
【発明の詳細な説明】
【技術分野】
【０００１】
本発明は、物品の連続バッチを形成して分離させる方法、ならびに該方法を実施するための装置に関する。
本発明は、特に、概ね円筒形をした、瓶、缶、小型容器（例えば、ヨーグルト容器）などの物品の包装に適用される。
【背景技術】
【０００２】
包装業界では、販売業者は、これまで以上に多様な範囲の包装製品を提供するとともに生産率を増加させることを模索している。したがって、製品を多数の方法で包装可能なように、該包装装置を迅速に調整可能であることが重要である。ここで、より具体的に言えば、まとめて包装される物品の数に関心がもたれており、実際、販売業者は、しばしば、同一製品について広く包装を選択することを可能にしており、例えば、瓶の２本入り、３本入り、または６本入り包装が提供される。
【０００３】
物品のバッチを形成して離隔させるグループ化装置へと物品を１つずつ輸送し、次いで該バッチをユニットへと輸送することによって該バッチの包装を可能にするシステムが、既に知られている。
【０００４】
その目的で、グループ化装置は、バッチを形成する所与の数の物品をグループ化し、次いで該バッチの輸送速度を増加させて、該バッチを次のバッチから離隔させるように構成されている。
【０００５】
特許文献１では、グループ化システムが、１つのバッチを次のバッチから離隔させるために各歯（ｃｏｇ）の速度を上げることが可能な、歯付きホイールの形態で提示されている。しかし、そのような装置では、歯の間の間隔が実質的に一定であるので、バッチごとの物品数を容易に調整することが可能ではない。実際、この数を変えるには、歯付きホイールを分解して、ホイール上の歯数及び歯の分布の少なくとも一方を変える必要がある。
【０００６】
特許文献２では、グループ化装置に、いくつかのセクタを含んだ回転システムが含まれており、この各セクタを、速度制御される電動ユニットに連結された回転シャフトによって回転運動させる。これで、第１セクタがいくつかの物品とともに進み、次いでその回転シャフトによって該第１セクタの速度を上げて、該セクタを、まだ次のバッチを形成する工程を実施している次のセクタから分離させる。
【０００７】
そのような装置では、適切な速度プロファイルを選ぶことによって各バッチ間の間隔を選択することが可能である。しかし、各セクタは、所与の一定の数の物品を含んだバッチを形成するために設けられている。したがって、そのような装置は、適応するのが難しく、該装置を形成する部品を変えずにバッチごとの物品数を変更することが可能ではない。
【０００８】
さらに、前述の装置では、物品を上流側で押すことが可能であるが、物品を下流側で保持することが可能でなく、これは、装置から落下する物品があることを意味する。
物品のバッチをまとめてグループ化する装置は、また、特許文献３、特許文献４、特許文献５、および特許文献６でも知られている。いずれにしても、これらの装置では、回転式移送システムを用いて該装置が動作しているときに物品数を調整可能なバッチを形成することが可能ではない。
【特許文献１】欧州特許出願公開第１１１６６７５号明細書
【特許文献２】欧州特許出願公開第０８６０３８５号明細書
【特許文献３】米国特許第３４８２６７４号明細書
【特許文献４】欧州特許出願公開第１１５３８５９号明細書
【特許文献５】米国特許第５６９９６５１号明細書
【特許文献６】米国特許第６４４３６８９号明細書
【発明の開示】
【発明が解決しようとする課題】
【０００９】
本発明は、バッチごとの物品数および各バッチ間の隙間を単純かつ高速に調整可能で、さらに物品が該装置から落下するのを防ぐ、物品の連続バッチを形成して離隔させる方法及び装置を提案することによって、これらの欠点を補うことを目的とする。
【課題を解決するための手段】
【００１０】
この目的で、本発明は、いくつかの物品を実質的に一定の入力速度で供給ベルトに沿って１つずつ供給ステーションへと輸送する段階と、制御装置によって速度が制御されて電動手段によって互いに独立して回転されるのに適した少なくとも第１および第２同軸回転シャフトを含んだタイプの回転式移送手段を用いて、所与の数の物品をバッチの形態にグループ化して供給ステーションから送出ステーションへと移送する段階であって、該第１および第２シャフトが、その移送速度が一定でなく制御装置によって決定される第１および第２回転式移送システムにそれぞれ連結されている段階と、送出ステーションから出てきた連続バッチの形態の物品を、入力速度よりも速い送出速度で送出ベルトに沿って移送する段階とを含む、物品の連続バッチを形成して離隔させる方法に関する。
【００１１】
物品をグループ化して移送する段階には、供給ステーションにおいて、第１回転式移送システムに設けられた第１物品送りシステムを、入力速度に等しい移送速度で、下流側にある物品バッチの一部を成す物品の上流側に係合させる工程と、送出ステーションでの移送速度が送出速度に等しくなるように、第１回転式移送システム、したがって物品バッチを、送出ステーションまで徐々に加速させる工程と、送出ステーションにおいて、物品を移動させる第１システムを係合解除（disengage）させる工程と、制御装置を調整することでバッチごとの物品数及び各バッチ間の隙間の少なくとも一方を変更可能になるように、供給ステーションにおいて、第２移送システムに設けられた第２送りシステムを、制御装置によって決定される第１送りシステムと第２送りシステムとの間の可変間隔をあけて係合させる工程とが含まれる。
【００１２】
一態様によれば、物品をグループ化して移送する段階には、第２送りシステムによって進められた物品バッチのための保持システムを第１送りシステムが形成するように、該第１送りシステムが送出ステーションで係合解除した後の該第１送りシステムの戻り工程が含まれる。
【００１３】
他の態様によれば、本発明は、物品がそれに沿って実質的に一定の速度で１つずつ供給ステーションへと移送される供給ベルトと、送出ステーションから物品の連続バッチを受け取って、該バッチを入力速度よりも速い実質的に一定の送出速度で移送するのに適した送出ベルトと、制御装置によって速度が制御されて電動手段によって互いに独立して回転されるのに適した少なくとも第１および第２同軸回転シャフトを含んだタイプの手段であって、該手段は、供給ステーションに１つずつ移送された物品が連続バッチの形で送出ステーションに到達するように該物品を供給ステーションから送出ステーションへと移送する手段であって、前記シャフトが、第１および第２回転式移送システムをそれぞれ回転駆動し、かつそれらにそれぞれ連結されている手段とを含む、物品の連続バッチを形成して離隔させる、前述の方法を実施するための装置に関する。
【００１４】
各移送システムは、供給ステーションにおいて、下流側にある設定された数の物品を含んだ物品バッチの一部を成す物品の上流側に係合し、かつ、送出ステーションにおいて係合解除するように構成された、少なくとも１つの物品送りシステムを具備しており、該移送システムが、回転シャフトを用いて制御装置によって決定される一定でない移送速度を有しており、前記移送速度が、供給ステーションで送りシステムが係合するときには入力速度に実質的に等しく、その後徐々に増加して、送出ステーションで送りシステムが係合解除するときには送出速度に実質的に等しくなるような速度である。
【００１５】
装置の構造は、第１移送システムに設けられた第１送りシステムの後に、制御装置によって決定される第１送りシステムと第２送りシステムとの間の可変間隔をあけて、第２移送システムに設けられた第２送りシステムが続き、制御装置を調整することでバッチごとの物品数及び各バッチ間の隙間の少なくとも一方を変更可能な構造である。
【００１６】
本発明の他の目的および利点は、添付図面とともに以下の説明を参照すれば最も良く理解されよう。
【発明を実施するための最良の形態】
【００１７】
ここで、図１を参照して、本発明の一実施形態を、パックなどの最終製品がそれから形成される、瓶や缶などの物品２の連続バッチ３を形成して離隔させる装置１について説明する。
【００１８】
物品２は、包装されるのに、互いに離隔されたバッチ３へとグループ化される少なくとも１つの操作を受ける。この操作は、実質的に水平な平面Ｍ内で実施される。
物品２は、平面Ｍに含まれる長手方向Ｌに従って、装置１に向かって移送される。形成されたバッチ３は、同一の方向Ｌに従って装置から離れる。また、平面Ｍ内で方向Ｌに垂直な横方向が定義され、さらに、方向ＬおよびＴに垂直に上昇する方向Ｅが定義され、結果としてこれら３つの方向すべてが直三面体（direct trihedron）を形成する。
【００１９】
用語「上流」および「下流」は、方向Ｌに関して定義され、用語「上方」および「高さ」は、方向Ｅに関して定義される。
装置１には、供給ベルト４が含まれており、該供給ベルト４の上で、物品２が、例えば事実上間隔をあけずに、次々に方向Ｌに移送される。物品は、例えばコンベヤ・ベルト４の一端に接合された、下流にある供給ステーション５へと移送される。
【００２０】
供給ベルト４は、実質的に一定の入力速度ＶＥで物品２を移送する。このコンベヤ・ベルトは、例えば、電動式の移動ベルトまたは他のいずれか同等の手段である。
装置１には、また、送出ベルト６が含まれており、該送出ベルト６に沿って、離隔された連続バッチ３にグループ化された物品２が、包装システムの残りの部分に向かって移送される。送出ベルト６は、例えば送出ベルト６の上流端に接合された、送出ステーション７から、物品２を上流から下流へと輸送する。バッチ３は、入力速度ＶＥよりも速い、実質的に一定の送出速度ＶＳで移送される。送出ベルト６は、例えば供給ベルト４と同一のタイプである。
【００２１】
移送手段８は、供給ベルト４と送出ベルト６との間に配置されている。これらの手段によって、供給ステーション５から出てきた物品２をバッチ３にグループ化して、該バッチを互いに離隔させ、さらに該バッチを送出ベルト６上で送出ステーション７へと移送することが可能になる。
【００２２】
これらの移送手段は、包装過程を中断させる必要なしにバッチ３ごとの物品２の数および２つの物品バッチ間の間隔を変更可能にするように構成されている。
この目的で、移送手段には、少なくとも２つの同軸回転シャフトが含まれる。図示した本発明の実施形態では、移送手段には、３つの同軸回転シャフト９、１０、および１１が含まれる。各シャフトは、方向Ｅに実質的に平行な軸Ｒの周りで他のシャフトとは独立して回転するのに適しており、それぞれ、電動手段１２、１３、および１４によって駆動される。
【００２３】
これら電動手段の速度は、制御装置（図示せず）によって制御される。操作者は、この装置を用いて、電動手段に速度プロファイルを与え、それによって所望の速度プロファイルに従って各シャフト９、１０、および１１の回転を制御することが可能である。電動手段１２、１３、および１４は、その回転速度を連続的に調整可能なモータ、例えばブラシレス直流型電気モータである。
【００２４】
図１に示した本発明の実施形態によれば、電動手段１２は、シャフト９に直接連結されており、他方、電動手段１３および１４は、プーリ２３を用いて、それぞれシャフト１０および１１を駆動させることが可能である。
【００２５】
シャフト９、１０、および１１は、それぞれ移送システム１５、１６、および１７に連結されている。シャフトは、これらの移送システム１５、１６、および１７を駆動して、軸Ｒの周りで回転させる。したがって、各システムは、他とは独立して回動可能であり、その速度は、制御装置によって制御される。
【００２６】
移送システム１５、１６、および１７は、例えば、それぞれが少なくとも１つの物品送りシステム１９を具備する、実質的に類似のディスクを重ね合わせて配置した形態をしている。図示した本発明の実施形態では、各移送システムには、ディスクの外周部上に、対角線の両端に配置された２つの送りシステム１９が含まれる。
【００２７】
送りシステム１９は、さらに、移送システム１５、１６、および１７の外周部上で、移送システムの送りシステムが他の移送システムの送りシステムに隣接するように構成されている。
【００２８】
物品送りシステム１９は、例えば、移送システムの外周部から径方向に延びる歯の形態で示されている。送りシステム１９は、さらに、重ね合わせた移送システムの合計の厚さに等しい高さにするなど、各移送システムを越えて方向Ｅに従って延びるように構成することも可能である。これで、物品に作用する送りシステムの表面積がより大きくなるので、物品が落下する危険を低減させることが可能になる。
【００２９】
移送手段８は、ＶＥとＶＳとの間で変動する、一定ではない移送速度ＶＴで回転する。
移送手段８は、送りシステム１９が、供給ステーション５において、ＶＥに実質的に等しい速度ＶＴで、該送りシステムから下流側に延びるバッチ３に属する物品２の上流側に係合可能であり、かつ、該送りシステム１９が、円形経路の一部を走行した後に、送出ステーション７において、ＶＴに実質的に等しい速度ＶＳで係合解除可能であるように構成されており、該円形経路の一部を走行する間に、速度ＴＳがＶＥからＶＳへと変わる。
【００３０】
この目的で、送りシステム１９を形成する歯には、それぞれ物品２の一部に相補的な形状をした上流側部および下流側部が含まれていて、前記下流側部および上流側部を使用して、それぞれ物品２を進ませ、または保持することが可能である。
【００３１】
移送手段８には、さらに、供給ステーション５の近くに配置された、供給ベルト４から到着する物品２を整列させて該物品の速さを制御するのに適した手段２０を含めることが可能であり、これで、送りシステム１９が物品２の上流側に係合するときに該物品２が所望どおりに位置決めかつ離隔される。
【００３２】
これらの手段は、例えば、電動手段２１によって軸Ｒに実質的に平行な軸Ｒ’周りで回転駆動される星形ホイールの形態をしている。電動装置２１は、例えば、電動手段１２、１３、および１４に類似であり、やはり速度に関して制御装置によって制御される。
【００３３】
星形ホイール２０には、その外周部に、物品２への係合および係合解除に適した歯付き構成２１が含まれる。歯付き構成２１は、物品を個々に受け取るのに適した陥凹部２２を有する。星形ホイール２０の接線速度は、入力速度ＶＥに実質的に等しい。
【００３４】
ここで、図２および図３を参照して、物品の連続バッチを形成して離隔させる方法、したがって前述の装置を使用する方法について説明する。
これらの図に示した本発明の実施形態では、移送手段には、互いに重ね合わされた第１移送システム１５および第２移送システム１６が含まれており、該移送システムがそれぞれ、該移送システム１５および１６の外周部上に、対角線の両端に配置された２つの送りシステム１９を具備する。移送手段は、送りシステムを円形経路に沿って進ませる。
【００３５】
加えて、送りシステム１９は、第１移送システム１５の送りシステム１９ａの後に、第２移送システム１６の送りシステム１９ｂが続くように、構成されている。
第１工程の間、物品２は、供給ベルト４および星形ホイール２０を用いて、入力速度ＶＥで１つずつ供給ステーション５へと移送される。送りシステム１９ａは、該送りシステム１９ａから下流側に広がるバッチ３に属する物品２の上流側に係合する。これで、送りシステムが、その円形経路の第１角度位置にくる。
【００３６】
制御装置は、第１移送システム１５の速度ＶＴを、送りシステムに係合するときに該速度がＶＥに実質的に等しくなるように調整する。したがって、送りシステムによる物品バッチの受渡しは、物品の落下ではなくても物品の衝突を引き起こし得る突然の速度変化なしに実施される。
【００３７】
バッチごとの物品の数は、操作者によって、連続する２つの送りシステム１９の間の間隔を調節することによって決定される。この調節は、例えば、ある移送システムを他の移送システムに対して減速させて、これら移送システムにおいて次々に続く送りシステム１９を十分に離隔させることによって、包装ラインを中断せずに実施することが可能である。
【００３８】
次の工程は、第１移送システム１５を加速させ、送りシステム１９ａを後続のシステム１９ｂから押し離すものである。これで、隙間とも呼ばれる間隔が、各バッチ３の間に創り出される。この隙間は、また、操作者によって、各電動手段について速度プロファイルを適合させることによって調整することも可能である。したがって、第１移送システム１５の加速を増加させることによって、各バッチ３の間の隙間が増大する。
【００３９】
次いで、送りシステムは、その円形経路の第２角度位置にある送出ステーション７で係合解除する。この係合解除は、速度ＶＳに実質的に等しい速度ＶＴで実施される。したがって、送出ベルト６への移送は、突然の速度変化なしに実施される。次いで、バッチ３が、送出ベルト６に受け渡される。
【００４０】
送りシステム１９ａを係合解除させると、送りシステム１９ｂは、図２で確認可能なように、物品の上流側に係合して、次のバッチ３を形成する。
物品２が移送手段８に受け渡されるときに物品２が装置１から落下するのを防ぐために、該方法には、また、送りシステム１９ａが送出ステーション７で係合解除した後の第１移送システム１５の戻り工程を含めることが可能である。したがって、第１移送システム１５の回転方向を逆転させることによって、送りシステム１９ａが、送りシステム１９ｂによって進められたバッチ３の下流側に係合する。次いで、送りシステム１９ｂが物品バッチ３を前方に押し、同時に送りシステム１９ａがこのバッチから物品２が落下するのを防ぐように、第１移送システム１５の速度を第２移送システム１６の速度に適合させる。
【図面の簡単な説明】
【００４１】
【図１】本発明による装置が物品の連続バッチを形成して離隔させている、該装置の斜視図。
【図２】物品を連続バッチに形成して離隔させる方法を示す、本発明による装置の構成の上面図。
【図３】送り装置が保持システムを形成するように、本発明の方法に該送り装置の戻り工程が含まれる、本発明による装置の構成の上面図。
【図１】
0004580721.tif 000002
【図２】
0004580721.tif 000003
【図３】
0004580721.tif 000004